(57)【要約】  【課題】  広いエリアを撮像可能であり、近接した被写体に対しても十分に補正された像を形成することができる広角光学系を提供すること。  【解決手段】  物体側より順に、開口絞りと、正の屈折力を有する第１レンズと、負の屈折力を有する第２レンズと、第３レンズとにより構成されており、前記第３レンズは、両面が、光軸近傍では物体側に凸面を向けた形状となりレンズ外周部近傍では物体側に凹面を向けた形状となるように、光軸からの距離に従って屈折力を変化させた非球面であり、以下の条件式（１）、（２）を満足する。      ０．１  ＜  ｄ5／ｄ6  ＜  ０．６５                           ・・・（１）      −０．０４  ＜  ｆ／ｆ3  ＜  ０．０４                        ・・・（２）  但し、ｄ5は前記第２レンズと第３レンズとの光軸上の空間距離、ｄ6は前記第３レンズの光軸上の厚さ、ｆは広角光学系全系の焦点距離、ｆ3は前記第３レンズの焦点距離である。【選択図】  図２
2010113307.tif 000002
【特許請求の範囲】
【請求項１】
物体側より順に、開口絞りと、正の屈折力を有する第１レンズと、負の屈折力を有する第２レンズと、第３レンズとにより構成されており、
前記第３レンズは、両面が、光軸近傍では物体側に凸面を向けた形状となりレンズ外周部近傍では物体側に凹面を向けた形状となるように、光軸からの距離に従って屈折力を変化させた非球面であり、
以下の条件式（１）、（２）を満足することを特徴とする広角光学系。
０．１  ＜  ｄ5／ｄ6  ＜  ０．６５                          ・・・（１）
−０．０４  ＜  ｆ／ｆ3  ＜  ０．０４                       ・・・（２）
但し、ｄ5は前記第２レンズと第３レンズとの光軸上の空間距離、ｄ6は前記第３レンズの光軸上の厚さ、ｆは広角光学系全系の焦点距離、ｆ3は前記第３レンズの焦点距離である。
【請求項２】
以下の条件式（３）を満足することを特徴とする請求項１に記載の広角光学系。
０．３  ＜  ｈm7／ｈP7  ＜  ２．０                          ・・・（３）
但し、ｈm7は前記開口絞りの中心を光軸に対して３６度の角度で通過して像形成に用いられる光線が前記第３レンズの像側の面を通過する点と光軸との最短距離、ｈP7は前記第３レンズの像側の面の最も像側の点と光軸との最短距離である。
【請求項３】
以下の条件式（４）を満足することを特徴とする請求項１又は２に記載の広角光学系。
０．０６  ＜  ｄP7／ｆ  ＜  ０．３                          ・・・（４）
但し、ｄP7は前記第３レンズの像側の面の光軸と交わる点と、前記第３レンズの像側の面の最も像側の点から最短距離にある光軸上の点との間の距離である。
【請求項４】
以下の条件式（５）を満足することを特徴とする請求項１乃至３のいずれか１項に記載の広角光学系。
１０  ＜  ν2  ＜  ２５                                     ・・・（５）
但し、ν2は前記第２レンズのアッベ数である。
【請求項５】
以下の条件式（６）を満足することを特徴とする請求項１乃至４の何れか１項に記載の広角光学系。
０．９  ＜  ｒ2／ｒ3  ＜  ４．４                            ・・・（６）
但し、ｒ2は前記第１レンズの像側の面の曲率半径、ｒ3は前記第２レンズの物体側の面の曲率半径である。
【請求項６】
以下の条件式（７）を満足することを特徴とする請求項１乃至５の何れか１項に記載の広角光学系。
０．３  ＜  ｜Ｈｒ／Σｄ｜  ＜  １．４                      ・・・（７）
但し、Ｈｒは結像位置から広角光学系全系の後側主点位置までの距離、Σｄは広角光学系全系の全長である。
【請求項７】
以下の条件式（８）を満足することを特徴とする請求項１乃至６の何れか１項に記載の広角光学系。
−２．０  ＜  Ｅｘｐ／ｆ  ＜  −０．４５                    ・・・（８）
但し、Ｅｘｐは結像位置から射出瞳位置までの距離である。
【請求項８】
以下の条件式（９）を満足することを特徴とする請求項１乃至７の何れか１項に記載の広角光学系。
０．１  ＜  Ｌ３ｄ／ＦｎｏMin  ＜  ０．７                   ・・・（９）
但し、Ｌ３ｄは前記第３レンズの物体側の面から結像位置までの距離をｍｍ単位で示した値、ＦｎｏMinは最小Ｆナンバーである。
【請求項９】
以下の条件式（１０）を満足することを特徴とする請求項１乃至８の何れか１項に記載の広角光学系。
２５％  ＜  ＩＬＬ  ＜  ４５％                            ・・・（１０）
但し、ＩＬＬは結像位置における軸上光束の光量に対する軸外光束の光量である。
【請求項１０】
以下の条件式（１１）を満足することを特徴とする請求項１乃至９の何れか１項に記載の広角光学系。
０．０７  ＜  （ｒ1＋ｒ2）／（ｒ1−ｒ2）  ＜  ０．８      ・・・（１１）
但し、ｒ1は前記第１レンズの物体側の面の曲率半径、ｒ2は前記第１レンズの像側の面の曲率半径である。
【請求項１１】
請求項１乃至請求項１０のいずれか１項に記載の広角光学系と、該広角光学系の像側に配置され光学像を電気信号に変換する撮像素子とを備えたことを特徴とする撮像装置。
【発明の詳細な説明】
【技術分野】
【０００１】
本発明は、広角光学系及びそれを用いた撮像装置に関し、特に、比較的近接位置にある物体の撮影に好適であり、且つ、小型の広角光学系及びそれを用いた撮像装置に関する。
【背景技術】
【０００２】
近年、携帯電話や携帯端末機、ノートパソコン等の薄型化に伴い、光学系の光軸に沿う方向の長さを極限まで薄型化したカメラモジュールが求められている。
【０００３】
この要求に応えるため、２〜３枚程度の非球面レンズによって構成された単焦点の光学系が、カメラモジュールに用いるものとして、数多く提案されている。
【０００４】
また、近年開発された撮像素子の周辺部に光が斜めに入射しても感度の落ちない撮像素子を、カメラモジュールに用いることも提案されている。これは、そのような撮像素子を、カメラモジュールに用いれば、光学系の射出瞳位置を撮像素子側に近づけることができるため、光学系の全長を短くすることが可能となり、結果として、カメラモジュールを薄型化することが可能となるからである。
【０００５】
そのような光学系の一例として、下記の特許文献１、特許文献２及び特許文献３には、３枚のレンズによって構成され、射出瞳位置を撮像素子側に近づけたものが記載されている。そして、それらの特許文献に記載されている光学系は、物体側から順に、正レンズ、負レンズ、負レンズを配置したテレフォトタイプの光学系とすることによって、光学系の全長のさらなる短縮を図っている。
【０００６】
【特許文献１】特開２００７−３７６８号公報
【特許文献２】特開２００７−４７５１３号公報
【特許文献３】特開２００７−５８１５３号公報
【発明の開示】
【発明が解決しようとする課題】
【０００７】
しかし、テレフォトタイプの光学系は、本来、望遠光学系において焦点距離に対する全長を短縮するために用いられるものであるため、広角光学系に用いると、倍率色収差、コマ収差、像面湾曲、歪曲収差といった諸収差が発生してしまう。そのため、特許文献１、特許文献２及び特許文献３に記載された光学系は、十分に広い画角を得ることができず、また、近接した被写体に対して十分に補正された像を形成することができないという問題があった。
【０００８】
本発明は、このような従来技術の問題点に鑑みてなされたものであり、その目的とするところは、広いエリアを撮像可能であり、近接した被写体に対しても十分に補正された像を形成することができる広角光学系及びそれを用いた撮像装置を提供することである。
【課題を解決するための手段】
【０００９】
上記の目的を達成するために、本発明の広角光学系は、物体側より順に、開口絞りと、正の屈折力を有する第１レンズと、負の屈折力を有する第２レンズと、第３レンズとにより構成されており、前記第３レンズは、両面が、光軸近傍では物体側に凸面を向けた形状となりレンズ外周部近傍では物体側に凹面を向けた形状となるように、光軸からの距離に従って屈折力を変化させた非球面であり、以下の条件式（１）、（２）を満足することを特徴とする。
０．１  ＜  ｄ5／ｄ6  ＜  ０．６５                           ・・・（１）
−０．０４  ＜  ｆ／ｆ3  ＜  ０．０４                        ・・・（２）
但し、ｄ5は前記第２レンズと第３レンズとの光軸上の空間距離、ｄ6は前記第３レンズの光軸上の厚さ、ｆは広角光学系全系の焦点距離、ｆ3は前記第３レンズの焦点距離である。
【００１０】
また、本発明の広角光学系は、以下の条件式（３）を満足することが好ましい。
０．３０  ＜  ｈm7／ｈP7  ＜  ２．０                         ・・・（３）
但し、ｈm7は前記開口絞りの中心を光軸に対して３６度の角度で通過して像形成に用いられる光線が前記第３レンズの像側の面を通過する点と光軸との最短距離、ｈP7は前記第３レンズの像側の面の最も像側の点と光軸との最短距離である。
【００１１】
また、本発明の広角光学系は、以下の条件式（４）を満足することが好ましい。
０．０６  ＜  ｄP7／ｆ  ＜  ０．３                           ・・・（４）
但し、ｄP7は前記第３レンズの像側の面の光軸と交わる点と、前記第３レンズの像側の面の最も像側の点から最短距離にある光軸上の点との間の距離である。
【００１２】
また、本発明の広角光学系は、以下の条件式（５）を満足することが好ましい。
１０  ＜  ν2  ＜  ２５                                      ・・・（５）
但し、ν2は前記第２レンズのアッベ数である。
【００１３】
また、本発明の広角光学系は、以下の条件式（６）を満足することが好ましい。
０．９  ＜  ｒ2／ｒ3  ＜  ４．４                             ・・・（６）
但し、ｒ2は前記第１レンズの像側の面の曲率半径、ｒ3は前記第２レンズの物体側の面の曲率半径である。
【００１４】
また、本発明の広角光学系は、以下の条件式（７）を満足することが好ましい。
０．３  ＜  ｜Ｈｒ／Σｄ｜  ＜  １．４                       ・・・（７）
但し、Ｈｒは結像位置から広角光学系全系の後側主点位置までの距離、Σｄは広角光学系全系の全長である。
【００１５】
また、本発明の広角光学系は、以下の条件式（８）を満足することが好ましい。
−２．０  ＜  Ｅｘｐ／ｆ  ＜  −０．４５                     ・・・（８）
但し、Ｅｘｐは結像位置から射出瞳位置までの距離である。
【００１６】
また、本発明の広角光学系は、以下の条件式（９）を満足することが好ましい。
０．１  ＜  Ｌ３ｄ／ＦｎｏMin  ＜  ０．７                    ・・・（９）
但し、Ｌ３ｄは前記第３レンズの物体側の面から結像位置までの距離をｍｍ単位で示した値、ＦｎｏMinは最小Ｆナンバーである。
【００１７】
また、本発明の広角光学系は、以下の条件式（１０）を満足することが好ましい。
２５％  ＜  ＩＬＬ  ＜  ４５％                              ・・・（１０）
但し、ＩＬＬは結像位置における軸上光束の光量に対する軸外光束の光量である。
【００１８】
また、本発明の広角光学系は、以下の条件式（１１）を満足することが好ましい。
０．０７  ＜  （ｒ1＋ｒ2）／（ｒ1−ｒ2）  ＜  ０．８        ・・・（１１）
但し、ｒ1は前記第１レンズの物体側の面の曲率半径、ｒ2は前記第１レンズの像側の面の曲率半径である。
【００１９】
また、上記の目的を達成するために、本発明の撮像装置は、上記いずれかの広角光学系と、該広角光学系の像側に配置され光学像を電気信号に変換する撮像素子とを備えたことを特徴とする。
【発明の効果】
【００２０】
本発明によれば、広いエリアを撮像可能であり、近接した被写体に対しても十分に補正された像を形成することができる広角光学系及びそれを用いた撮像装置を提供することができる。
【発明を実施するための最良の形態】
【００２１】
本発明の広角光学系及びそれを用いた撮像装置の実施例の説明に先立ち、本発明の構成による作用効果を説明する。なお、本発明においては、近軸焦点距離が正の値を持つレンズは正レンズ、近軸焦点距離が負の値を持つレンズは負レンズとして扱っている。
【００２２】
本発明の広角光学系は、物体側より順に、開口絞りと、正の屈折力を有する第１レンズと、負の屈折力を有する第２レンズと、第３レンズとにより構成されている。
【００２３】
テレフォトタイプの光学系は、広角化すると、その光学系の像側に配置した撮像素子の撮像面に入射する軸外主光線の入射角が大きくなってしまい、撮像素子の周辺部の感度が低下してしまう。しかし、本発明の広角光学系のように、レンズよりも物体側に開口絞りを配置すれば、射出瞳を像面から離すことができるため、その撮像素子の周辺部に入射する光線の角度を小さくすることができ、撮像素子の周辺部の感度低下を回避することができる。
【００２４】
また、本発明の広角光学系は、以下の条件式（１）を満足するように構成されている。
０．１  ＜  ｄ5／ｄ6  ＜  ０．６５                          ・・・（１）
但し、ｄ5は第２レンズと第３レンズとの光軸上の空間距離、ｄ6は第３レンズの光軸上の厚さである。
【００２５】
この条件式（１）は、第３レンズの物体側の面の位置を規定するための条件式である。条件式（１）の下限値を下回ると、第３レンズの物体側の面が、第２レンズの像側の面と近すぎるため、像高方向への光束の分離が不十分となってしまい、収差の補正、特に画角が大きい場合には、非点収差や像面湾曲等の補正が困難になってしまう。一方、この条件式（１）の上限値を上回ると、第３レンズの物体側の面が、収差の補正、特に画角が大きい場合には、コマ収差の補正が困難になってしまう。
【００２６】
なお、条件式（１）に代わり次の条件式（１）’を満足するように構成するとさらに好ましい。
０．１５  ＜  ｄ5／ｄ6  ＜  ０．５５                        ・・・（１）’
【００２７】
また、本発明の広角光学系の場合は、第３レンズは、両面が、光軸近傍では物体側に凸面を向けた形状となりレンズ外周部近傍では物体側に凹面を向けた形状となるように、光軸からの距離に従って屈折力を変化させた非球面であり、以下の条件式（２）を満足するように構成されている。
−０．０４  ＜  ｆ／ｆ3  ＜  ０．０４                       ・・・（２）
但し、ｆは広角光学系全系の焦点距離、ｆ3は第３レンズの焦点距離である。
【００２８】
第３レンズの両面をこのような形状とするとともに、この条件式（２）を満足することにより、負の屈折力を有する第２レンズの効果を打ち消すことなく、主点の位置を光学系の物体側にすることができ、焦点距離に対して光学系の全長を十分に小さくすることができる。
【００２９】
条件式（２）の下限値を下回ると、高分散性を持つ第３レンズの中心の屈折力が大きくなりすぎてしまい、軸上の色収差が著しく発生し、結像性能が悪化する。一方、条件式（２）の上限値を上回ると、第３レンズの中心の屈折力が弱くなりすぎてしまい、発散作用も小さくなるため、主点位置が像側に移動し、光学系が大型化してしまう。
【００３０】
また、条件式（２）に代わり次の条件式（２）’を満足するように構成すると、第３レンズの軸上の屈折力と軸外の屈折力との差がつけやすくなるため、光学系をさらに小型化しやすくなるとともに、歪曲収差の補正が容易になり、好ましい。
−０．０３５  ＜  ｆ／ｆ3  ＜  ０．０２５                  ・・・（２）’
なお、条件式（２）’の上限値又は下限値を、条件式（２）の上限値又は下限値としても良い。
【００３１】
また、本発明の広角光学系は、図１に示すパラメータが以下の条件式（３）を満足することが好ましい。
０．３０  ＜  ｈm7／ｈP7  ＜  ２．０                       ・・・（３）
但し、ｈm7は開口絞りＳの中心を光軸に対して３６度の角度で通過して像形成に用いられる光線が第３レンズの像側の面を通過する点と光軸との最短距離、ｈP7は第３レンズの像側の面の最も像側の点と光軸との最短距離である。
【００３２】
なお、図１は、本発明に係る広角光学系と、カバーガラスと、ＣＣＤ（ Charge Coupled Device ）やＣＭＯＳ（ Complementary Metal-Oxide Semiconductor ）等の撮像素子とからなる撮像装置の模式図であり、条件式（３）及び（４）に係るパラメータを示す図である。
【００３３】
図１において、Ｓは開口絞り、Ｌ1は第１レンズ、Ｌ2は第２レンズ、Ｌ3は第３レンズ、ＣＧはカバーガラス、ＩＭは撮像素子の撮像面、Ｌｃは光軸、Ｌｍは開口絞りＳの中心を光軸に対して３６度の角度で通過して撮像面ＩＭ上に像を形成する光線、ＰC7は第３レンズＬ3の像側の面が光軸Ｌｃと交わる点、Ｐm7は光線Ｌｍが第３レンズの像側の面を通過する点、ＰP7は第３レンズの像側の面の最も像側の点、ｈm7は点Ｐm7から光軸までの最短距離、ｈP7はＰP7から光軸までの最短距離、ｄP7は点ＰP7から最短距離にある光軸上の点と点ＰC7との間の距離である。
【００３４】
第３レンズの両面がレンズ外周部近傍では物体側に凹面を向けた形状である本発明の広角光学系は、この条件式（３）を満足するように構成すれば、光学系の像側に撮像素子を配置した場合に、その撮像素子の周辺部に入射する軸外主光線の入射角を小さくすることができ、撮像素子の周辺部の感度低下を回避することができる。また、このように構成すれば、第２レンズにより発生する糸巻き型の歪曲収差を補正することもできる。
【００３５】
条件式（３）の下限値を下回ると、高分散性を持つ第３レンズの中心の屈折力が大きくなりすぎてしまい、軸上の色収差が著しく発生し、結像性能が悪化する。一方、条件式（３）の上限値を上回ると、第３レンズの外周部近傍の収斂作用が小さくなりすぎてしまい、撮像素子の周辺部に入射する軸外主光線の入射角が大きくなり、撮像素子の周辺部の感度低下を十分に回避できない。
【００３６】
なお、条件式（３）に代わり次の条件式（３）’を満足するように構成するとさらに好ましい。
０．５０  ＜  ｈm7／ｈP7  ＜  １．２４                      ・・・（３）’
なお、条件式（３）’の上限値又は下限値を、条件式（３）の上限値又は下限値としても良い。
【００３７】
また、本発明の広角光学系は、図１に示すパラメータが以下の条件式（４）を満足することが好ましい。
０．０６  ＜  ｄP7／ｆ  ＜  ０．３                          ・・・（４）
但し、ｄP7は第３レンズの像側の面の光軸と交わる点と、第３レンズの像側の面の最も像側の点から最短距離にある光軸上の点との間の距離である。
【００３８】
第３レンズの両面がレンズ外周部近傍では物体側に凹面を向けた形状である本発明の広角光学系は、この条件式（４）を満足するように構成すれば、光学系の像側に撮像素子を配置した場合に、その撮像素子の周辺部に入射する軸外主光線の入射角を小さくすることができ、撮像素子の周辺部の感度低下を回避することができる。また、このように構成すれば、歪曲収差を補正することもできる。
【００３９】
条件式（４）の下限値を下回ると、高分散性を持つ第３レンズの中心の屈折力が大きくなりすぎてしまい、軸上の色収差が著しく発生し、結像性能が悪化する。一方、条件式（４）の上限値を上回ると、第３レンズの外周部近傍の収斂作用が小さくなりすぎてしまい、撮像素子の周辺部に入射する軸外主光線の入射角が大きくなり、撮像素子の周辺部の感度低下を十分に回避できない。また、第３レンズの像側の面における軸上光束と軸外光束とのレンズ作用の差が小さくなりすぎてしまうため、歪曲収差等の補正を効果的に行うことができない。
【００４０】
なお、条件式（４）に代わり次の条件式（４）’を満足するように構成するとさらに好ましい。
０．０９  ＜  ｄP7／ｆ  ＜  ０．１９                        ・・・（４）’
なお、条件式（４）’の上限値又は下限値を、条件式（４）の上限値又は下限値としても良い。
【００４１】
また、本発明の広角光学系は、以下の条件式（５）を満足することが好ましい。
１０  ＜  ν2  ＜  ２５                                     ・・・（５）
但し、ν2は前記第２レンズのアッベ数である。
【００４２】
本発明の広角光学系のような光学系を広角化するためには、第１レンズの焦点距離を小さくしなければならないが、焦点距離を小さくすると発生する色収差も大きくなってしまう。また、本発明の広角光学系の第３レンズの両面は、光軸近傍では物体側に凸面を向けた形状となりレンズ外周部近傍では物体側に凹面を向けた形状となるように光軸からの距離に従って屈折力を変化させた非球面、すなわち、第３レンズの像側の面は、変曲点を有する面であるため、第３レンズにおいて軸上の色収差を補正すると、第３レンズの外周部近傍において発生する倍率色収差が大きくなってしまう。そこで、本発明の広角光学系は、第２レンズを高分散性の材料で形成し、倍率色収差の補正を行うことが好ましい。また、第２レンズには、コマ収差が増大しないような適度な屈折力を持たせることが好ましい。この条件式（５）は、そのような第２レンズを規定するための条件式である。
【００４３】
条件式（５）の下限値を下回ると、光学特性、特に短波長側の透過率や散乱等に対する光学特性の良好な材料が入手しにくい。一方、条件式（５）の上限値を上回ると、条件式（２）を満足する本発明の広角光学系は、第２レンズにおいて倍率色収差の除去がしにくくなるため、第３レンズの外周部近傍の性能を向上させにくい。
【００４４】
また、本発明の広角光学系は、以下の条件式（６）を満足することが好ましい。
０．９  ＜  ｒ2／ｒ3  ＜  ４．４                            ・・・（６）
但し、ｒ2は前記第１レンズの像側の面の曲率半径、ｒ3は前記第２レンズの物体側の面の曲率半径である。
【００４５】
この条件式（６）は、収差を悪化させずに、第１レンズと第２レンズとの空気間隔を小さくするための条件を規定するものである。本発明の広角光学系は、この条件式（６）を満足するように構成すれば、第１レンズと第２レンズとを近接させて配置することができるようになるため、光学系全体を小型化しやすくなり、また、第１レンズと第２レンズとの空気間隔を小さくできる、つまり、第２レンズの物体側の面から第３レンズの像側の面までの間隔を確保できるため、条件式（１）を満足しやすくなる。
【００４６】
条件式（６）の下限値を下回ると、コマ収差の発生が大きくなる。一方、条件式（６）の上限値を上回ると、空気間隔を大きくしなければならなり、光学系全体を小型化しにくくなり、また、条件式（１）を満足しにくくなる。
【００４７】
なお、条件式（６）に代わり次の条件式（６）’を満足するように構成するとさらに好ましい。
１．２  ＜  ｒ2／ｒ3  ＜  ２．８                            ・・・（６）’
なお、条件式（６）’の上限値又は下限値を、条件式（６）の上限値又は下限値としても良い。
【００４８】
また、本発明の広角光学系は、以下の条件式（７）を満足することが好ましい。
０．３  ＜  ｜Ｈｒ／Σｄ｜  ＜  １．４                      ・・・（７）
但し、Ｈｒは結像位置から広角光学系全系の後側主点位置までの距離、Σｄは広角光学系全系の全長である。
【００４９】
この条件式（７）は、像面湾曲の発生を抑えながら、光学系の全長を小さくするための条件を規定するものである。条件式（７）の下限値を下回ると、全長が大きくなる。一方、条件式（７）の上限値を上回ると、光学系の全長に対する画角が大きくなりすぎてしまうため、像面湾曲の発生を抑えにくくなる。
【００５０】
なお、条件式（７）に代わり次の条件式（７）’を満足するように構成するとさらに好ましい。
０．４６  ＜  ｜Ｈｒ／Σｄ｜  ＜  ０．８９                  ・・・（７）’
なお、条件式（７）’の上限値又は下限値を、条件式（７）の上限値又は下限値としても良い。
【００５１】
また、本発明の広角光学系は、以下の条件式（８）を満足することが好ましい。
−２．０  ＜  Ｅｘｐ／ｆ  ＜  −０．４５                    ・・・（８）
但し、Ｅｘｐは結像位置から射出瞳位置までの距離である。
【００５２】
この条件式（８）は、光学系の小型化と周辺性能の維持とを両立させるための条件を規定するものである。条件式（８）の下限値を下回ると、結像位置から射出瞳を遠くする必要があるため、光学系が大きくなる。一方、条件式（８）の上限値を上回ると、光学系の像側に撮像素子を配置した場合に、その撮像素子の周辺部に入射する光線の入射角を大きくなりすぎてしまい、周辺性能の劣化が著しくなる。
【００５３】
なお、条件式（８）に代わり次の条件式（８）’を満足するように構成するとさらに好ましい。
−１．３  ＜  Ｅｘｐ／ｆ  ＜  −０．５８                    ・・・（８）’
なお、条件式（８）’の上限値又は下限値を、条件式（８）の上限値又は下限値としても良い。
【００５４】
また、本発明の広角光学系は、以下の条件式（９）を満足することが好ましい。
０．１  ＜  Ｌ３ｄ／ＦｎｏMin  ＜  ０．７                   ・・・（９）
但し、Ｌ３ｄは前記第３レンズの物体側の面から結像位置までの距離をｍｍ単位で示した値、ＦｎｏMinは最小Ｆナンバーである。
【００５５】
この条件式（９）の下限値を下回ると、Ｆナンバーが小さくなるため、または、第３レンズの物体側の面から結像位置までの距離が近くなるため、光学系内のゴミが目立つ。一方、条件式（９）の上限値を上回ると、第３レンズの物体側の面から結像位置までの距離が長くなるため、光学系が大きくなる。
【００５６】
なお、条件式（９）に代わり次の条件式（９）’を満足するように構成するとさらに好ましい。
０．１８  ＜  Ｌ３ｄ／ＦｎｏMin  ＜  ０．４３               ・・・（９）’
なお、条件式（９）’の上限値又は下限値を、条件式（９）の上限値又は下限値としても良い。
【００５７】
また、本発明の広角光学系は、以下の条件式（１０）を満足することが好ましい。
２５％  ＜  ＩＬＬ  ＜  ４５％                              ・・・（１０）
但し、ＩＬＬは結像位置における軸上光束の光量に対する軸外光束の光量である。
【００５８】
本発明の広角光学系のように、物体側から順に、正の屈折力、負の屈折力となるように構成された光学系は、正の歪曲収差が発生する。そして、このような光学系の像側に撮像素子を配置した場合、撮像素子とレンズ枠とが光軸に対して垂直な方向にずれてしまうと、その歪曲収差は非対称に発生するため、周辺光量も非対称となり、画質が劣化してしまう。しかし、この条件式（１０）を満足するように構成すると、非対称な歪曲収差の発生を抑えることができるため、中心光量と周辺光量のバランスを保ち、画質の劣化を防ぐことができる。
【００５９】
条件式（１０）の下限値を下回ると、周辺光量のバランスが崩れてしまうため、電気補正によって像の明るさを調整して像を明るくすることが困難になり、また、周辺光量の非対称が目立ちやすくなる。一方、条件式（１０）の上限値を上回ると、周辺光量のバランスは良くなるが、広角化した際の屈折力のバランス、特に、第１レンズの屈折力と第２レンズの屈折力とのバランスが崩れてしまうため、コマ収差や像面湾曲、非点収差が発生しやすくなる、または、光学系の全長が大きくなることにつながる。
【００６０】
なお、条件式（１０）に代わり次の条件式（１０）’を満足するように構成するとさらに好ましい。
２５％  ＜  ＩＬＬ  ＜  ４２％                            ・・・（１０）’
【００６１】
また、本発明の広角光学系は、以下の条件式（１１）を満足することが好ましい。
０．０７  ＜  （ｒ1＋ｒ2）／（ｒ1−ｒ2）  ＜  ０．８      ・・・（１１）
但し、ｒ1は前記第１レンズの物体側の面の曲率半径、ｒ2は前記第１レンズの像側の面の曲率半径である。
【００６２】
本発明の広角光学系の第１レンズは、光学系で最も小さい焦点距離を有するため、製造時にその組立誤差の影響をもっともうけやすい。しかし、条件式（１１）を満足するように構成すれば、製造ばらつきの影響を抑え、良好な光学性能を得ることができる。
【００６３】
条件式（１１）の下限値を下回ると、第１レンズの物体側の面の曲率半径が小さくなりすぎるため、その面に入射する光線の傾きがその面の法線に対して大きくなり、レンズの偏心感度が増大してしまう。一方、条件式（１１）の上限値を上回ると、第１レンズの像の面の曲率半径が大きくなりすぎるため、その面から射出される光線の傾きがその面の法線に対して大きくなり、レンズの偏心感度が増大してしまう。
【００６４】
なお、条件式（１１）に代わり次の条件式（１１）’を満足するように構成するとさらに好ましい。
０．０９  ＜  （ｒ1＋ｒ2）／（ｒ1−ｒ2）  ＜  ０．４９    ・・・（１１）’
なお、条件式（１１）’の上限値又は下限値を、条件式（１１）の上限値又は下限値としても良い。
【００６５】
また、本発明の広角光学系は、全てのレンズが、樹脂製であることが好ましい。
【００６６】
また、本発明の広角光学系は、開口絞りの物体側に、シャッターを配置することが好ましい。また、シャッターは開口絞りと一体的なものでも良いし、別体として構成したものでも良い。
【００６７】
また、本発明の広角光学系は、開口絞りが可変絞りであることが好ましい。
【００６８】
以下に、本発明の実施例１〜実施例４を図面を参照して説明する。
【００６９】
図面中、光学系断面図におけるｒ1，ｒ2，・・・・・・及びｄ1，ｄ2，・・・・・・において下付き文字として示した数字は、数値データにおける面番号１，２，・・・に対応している。また、収差曲線図において、非点収差におけるΔＭはメリジオナル面の非点収差，ΔＳはサジタル面の非点収差を示している。なお、メリジオナル面とは、光学系の光軸と主光線を含む面（紙面に平行な面）であり、サジタル面とは、光学系の光軸と主光線を含む面に垂直な面（紙面に垂直な面）を意味している。また、ＦＩＹは像高である。
【００７０】
また、以下の各実施例におけるレンズの数値データにおいては、ｓは面番号、ｒは各面の曲率半径、ｄは面間隔、ｎｄはｄ線（波長５８７．５６００ｎｍ）における屈折率、νｄはｄ線におけるアッベ数、Ｋは円錐係数、Ａ4，Ａ6，Ａ8，Ａ10は非球面係数をそれぞれ示している。
【００７１】
また、下記数値データの非球面係数において、Ｅは１０のべき乗を表している。例えば、「Ｅ−１０」は、１０のマイナス１乗を表している。また、各非球面形状は、各実施例における各非球面係数を用いて以下の式で表される。但し、光軸に沿う方向の座標をＺ、光軸と垂直な方向の座標をＹとする。
Ｚ＝（Ｙ2／ｒ）／［１＋｛１−（１＋Ｋ）・（Ｙ／ｒ）2｝1/2］
＋Ａ4Ｙ4＋Ａ6Ｙ6＋Ａ8Ｙ8＋Ａ10Ｙ10＋・・・
【実施例１】
【００７２】
図２は、本実施例に係る広角光学系を備えた撮像装置の構成を示す光軸に沿う断面図である。図３は、図２に示した広角光学系の球面収差，非点収差，歪曲収差，倍率色収差を示す図である。
【００７３】
まず、図２を用いて、本実施例の広角光学系を備えた撮像装置の構成を説明する。本実施例の広角光学系を備えた撮像装置は、物体側から順に、光軸Ｌｃ上に、開口絞りＳ、第１レンズＬ1、第２レンズＬ2、第３レンズＬ3、ＣＣＤカバーガラスＣＧ、撮像面ＩＭを持つＣＣＤが配置されている。なお、第３レンズＬ3とＣＣＤカバーガラスＣＧとの間には、ＩＲカットコートを施したローパスフィルターなどを配置しても良い。
【００７４】
第１レンズＬ1は、両面が非球面の両凸レンズである。第２レンズＬ2は、両面が非球面であって像側に凸面を向けた負メニスカスレンズである。第３レンズＬ3は、両面が、光軸近傍では物体側に凸面を向けた形状となりレンズ外周部近傍では物体側に凹面を向けた形状となるように、光軸からの距離に従って屈折力を変化させた非球面により形成されたメニスカスレンズである。
【００７５】
次に、本実施例に係る各光学系を構成するレンズの構成及び数値データを示す
【００７６】
数値データ１
単位  ｍｍ
面データ
ｓ                   ｒ     ｄ     ｎｄ     νｄ   有効径
1   （開口絞り）    ∞    0.20                     0.67 
2    （非球面）    3.315  1.15   1.53071   55.69   0.86
3    （非球面）   -1.512  0.42                     1.12
4    （非球面）   -0.760  0.88   1.58393   30.21   1.15
5    （非球面）   -1.466  0.50                     1.38
6    （非球面）    2.626  1.11   1.53071   55.69   1.94
7    （非球面）    2.216  0.79                     2.43
8                   ∞    0.30   1.51633   64.14   2.64 
9                   ∞    0.30                     2.70 
像面                  ∞
【００７７】
非球面データ
第２面
K= -1.840, A4=-4.59100E-02, A6=-3.05100E-02, A8=-7.12400E-02
第３面
K= -1.218, A4=-7.36900E-02, A6=-2.97600E-02, A8= 3.09400E-02, A10=-2.59300E-02
第４面
K= -0.926, A4= 1.49100E-01, A6= 1.07400E-01, A8=-8.17500E-02, A10= 2.31100E-02
第５面
K= -0.490, A4= 7.28800E-02, A6= 5.67100E-02, A8=-1.36400E-02, A10= 8.56100E-04
第６面
K= -7.093, A4=-2.29700E-02, A6=-6.43000E-04, A8= 1.18900E-03, A10=-2.30700E-04
第７面
K= -1.369, A4=-6.13500E-02, A6= 9.18900E-03, A8=-7.47900E-04, A10=-2.48600E-06
【００７８】
各種データ
焦点距離       3.73 
Ｆナンバー      2.8 
画角      -36.8°
像高        2.8 
レンズ全長      5.5 
ＢＦ        1.28
【００７９】
上記条件式に係るデータ
条件式 （１） ０．１  ＜  ｄ5／ｄ6  ＜  ０．６５                  ： 0.45 
条件式 （２） −０．０４  ＜  ｆ／ｆ3  ＜  ０．０４              ：-0.008
条件式 （３） ０．３０  ＜  ｈm7／ｈP7  ＜  ２．０                 ： 0.937
条件式 （４） ０．０６  ＜  ｄP7／ｆ  ＜  ０．３                  ： 0.074
条件式 （５） １０  ＜  ν2  ＜  ２５                            ：30.21 
条件式 （６） ０．９  ＜  ｒ2／ｒ3  ＜  ４．４                    ： 1.99 
条件式 （７） ０．３  ＜  ｜Ｈｒ／Σｄ｜  ＜  １．４            ： 0.66 
条件式 （８） −２．０  ＜  Ｅｘｐ／ｆ  ＜  −０．４５          ：-0.99 
条件式 （９） ０．１  ＜  Ｌ３ｄ／ＦｎｏMin  ＜  ０．７            ： 0.36 
条件式（１０）２５％  ＜  ＩＬＬ  ＜  ４５％                    ：39.9
条件式（１１）０．０７  ＜  （ｒ1＋ｒ2）／（ｒ1−ｒ2）  ＜  ０．８ ： 0.37 
【実施例２】
【００８０】
図４は、本実施例に係る広角光学系を備えた撮像装置の構成を示す光軸に沿う断面図である。図５は、図４に示した広角光学系の球面収差，非点収差，歪曲収差，倍率色収差を示す図である。
【００８１】
まず、図４を用いて、本実施例の広角光学系を備えた撮像装置の構成を説明する。本実施例の広角光学系を備えた撮像装置は、物体側から順に、光軸Ｌｃ上に、開口絞りＳ、第１レンズＬ1、第２レンズＬ2、第３レンズＬ3、ＣＣＤカバーガラスＣＧ、撮像面ＩＭを持つＣＣＤが配置されている。なお、第３レンズＬ3とＣＣＤカバーガラスＣＧとの間には、ＩＲカットコートを施したローパスフィルターなどを配置しても良い。
【００８２】
第１レンズＬ1は、両面が非球面の両凸レンズである。第２レンズＬ2は、両面が非球面であって像側に凸面を向けた負メニスカスレンズである。第３レンズＬ3は、両面が、光軸近傍では物体側に凸面を向けた形状となりレンズ外周部近傍では物体側に凹面を向けた形状となるように、光軸からの距離に従って屈折力を変化させた非球面により形成されたメニスカスレンズである。
【００８３】
次に、本実施例に係る各光学系を構成するレンズの構成及び数値データを示す
【００８４】
数値データ２
単位  ｍｍ
面データ
ｓ                   ｒ     ｄ     ｎｄ     νｄ   有効径
1   （開口絞り）    ∞    0.10                     0.68 
2    （非球面）    3.076  1.11   1.53071   55.69   0.80
3    （非球面）   -1.651  0.42                     1.05
4    （非球面）   -0.838  0.80   1.63259   23.27   1.10
5    （非球面）   -1.568  0.40                     1.30
6    （非球面）    3.271  1.39   1.53071   55.69   1.67
7    （非球面）    2.771  0.74                     2.38
8                   ∞    0.30   1.51633   64.14   2.66 
9                   ∞    0.30                     2.72 
像面                  ∞
【００８５】
非球面データ
第２面
K= -1.561, A4=-4.45188E-02, A6=-2.78685E-02, A8=-4.80497E-02
第３面
K= -1.110, A4=-7.35754E-02, A6=-2.18139E-03, A8= 8.64574E-03, A10=-1.50468E-02
第４面
K= -0.906, A4= 1.40870E-01, A6= 1.10717E-01, A8=-7.36659E-02, A10= 1.76769E-02
第５面
K= -0.424, A4= 6.85954E-02, A6= 5.20628E-02, A8=-1.17039E-02, A10= 1.12392E-03
第６面
K=-15.009, A4=-1.96223E-02, A6=-7.60260E-03, A8= 3.02406E-03, A10=-7.56075E-04
第７面
K= -2.040, A4=-4.50247E-02, A6= 6.82918E-03, A8=-1.05009E-03, A10= 3.98509E-05
【００８６】
各種データ
焦点距離       3.77 
Ｆナンバー      2.8 
画角      -36.8°
像高        2.8 
レンズ全長      5.5 
ＢＦ        1.23
【００８７】
上記条件式に係るデータ
条件式 （１） ０．１  ＜  ｄ5／ｄ6  ＜  ０．６５                  ： 0.29 
条件式 （２） −０．０４  ＜  ｆ／ｆ3  ＜  ０．０４              ：-0.004
条件式 （３） ０．３０  ＜  ｈm7／ｈP7  ＜  ２．０                 ： 0.999
条件式 （４） ０．０６  ＜  ｄP7／ｆ  ＜  ０．３                  ： 0.055
条件式 （５） １０  ＜  ν2  ＜  ２５                            ：23.27 
条件式 （６） ０．９  ＜  ｒ2／ｒ3  ＜  ４．４                    ： 1.96 
条件式 （７） ０．３  ＜  ｜Ｈｒ／Σｄ｜  ＜  １．４            ： 0.67 
条件式 （８） −２．０  ＜  Ｅｘｐ／ｆ  ＜  −０．４５          ：-0.90 
条件式 （９） ０．１  ＜  Ｌ３ｄ／ＦｎｏMin  ＜  ０．７            ： 0.40 
条件式（１０）２５％  ＜  ＩＬＬ  ＜  ４５％                    ：36.2
条件式（１１）０．０７  ＜  （ｒ1＋ｒ2）／（ｒ1−ｒ2）  ＜  ０．８ ： 0.30 
【実施例３】
【００８８】
図６は、本実施例に係る広角光学系を備えた撮像装置の構成を示す光軸に沿う断面図である。図７は、図６に示した広角光学系の球面収差，非点収差，歪曲収差，倍率色収差を示す図である。
【００８９】
まず、図６を用いて、本実施例の広角光学系を備えた撮像装置の構成を説明する。本実施例の広角光学系を備えた撮像装置は、物体側から順に、光軸Ｌｃ上に、開口絞りＳ、第１レンズＬ1、第２レンズＬ2、第３レンズＬ3、ＣＣＤカバーガラスＣＧ、撮像面ＩＭを持つＣＣＤが配置されている。なお、第３レンズＬ3とＣＣＤカバーガラスＣＧとの間には、ＩＲカットコートを施したローパスフィルターなどを配置しても良い。
【００９０】
第１レンズＬ1は、両面が非球面の両凸レンズである。第２レンズＬ2は、両面が非球面であって像側に凸面を向けた負メニスカスレンズである。第３レンズＬ3は、両面が、光軸近傍では物体側に凸面を向けた形状となりレンズ外周部近傍では物体側に凹面を向けた形状となるように、光軸からの距離に従って屈折力を変化させた非球面により形成されたメニスカスレンズである。
【００９１】
次に、本実施例に係る各光学系を構成するレンズの構成及び数値データを示す
【００９２】
数値データ３
単位  ｍｍ
面データ
ｓ                   ｒ     ｄ     ｎｄ     νｄ   有効径
1   （開口絞り）    ∞    0.20                     0.67 
2    （非球面）    3.324  1.01   1.53071   55.69   0.85
3    （非球面）   -1.674  0.54                     1.08
4    （非球面）   -0.757  0.66   1.63493   23.90   1.18
5    （非球面）   -1.327  0.30                     1.30
6    （非球面）    3.358  1.50   1.53071   55.69   1.71
7    （非球面）    2.819  0.49                     2.41
8                   ∞    0.55   1.51633   64.14   2.59 
9                   ∞    0.30                     2.69 
像面                  ∞
【００９３】
非球面データ
第２面
K= -5.092, A4=-5.50591E-02, A6=-5.09238E-02, A8=-7.58536E-02
第３面
K= -0.576, A4=-8.24414E-02, A6=-4.45512E-02, A8= 5.35929E-02, A10=-3.84535E-02
第４面
K= -1.012, A4= 1.68277E-01, A6= 1.10237E-01, A8=-6.94271E-02, A10= 1.40257E-02
第５面
K= -0.990, A4= 1.04031E-01, A6= 5.26561E-02, A8=-1.30418E-02
第６面
K=-17.986, A4= 1.55583E-02, A6=-3.08028E-02, A8= 1.16072E-02, A10=-1.74421E-03
第７面
K=-11.416, A4= 1.13495E-03, A6=-9.12222E-03, A8= 1.80868E-03, A10=-1.45708E-04
【００９４】
各種データ
焦点距離       3.71 
Ｆナンバー      2.8 
画角      -37.3°
像高        2.8 
レンズ全長      5.3 
ＢＦ        1.15
【００９５】
上記条件式に係るデータ
条件式 （１） ０．１  ＜  ｄ5／ｄ6  ＜  ０．６５                  ： 0.20 
条件式 （２） −０．０４  ＜  ｆ／ｆ3  ＜  ０．０４              ：-0.004
条件式 （３） ０．３０  ＜  ｈm7／ｈP7  ＜  ２．０                 ： 1.059
条件式 （４） ０．０６  ＜  ｄP7／ｆ  ＜  ０．３                  ： 0.057
条件式 （５） １０  ＜  ν2  ＜  ２５                            ：23.9
条件式 （６） ０．９  ＜  ｒ2／ｒ3  ＜  ４．４                    ： 2.20 
条件式 （７） ０．３  ＜  ｜Ｈｒ／Σｄ｜  ＜  １．４            ： 0.68 
条件式 （８） −２．０  ＜  Ｅｘｐ／ｆ  ＜  −０．４５          ：-0.88 
条件式 （９） ０．１  ＜  Ｌ３ｄ／ＦｎｏMin  ＜  ０．７            ： 0.39 
条件式（１０）２５％  ＜  ＩＬＬ  ＜  ４５％                    ：35.3
条件式（１１）０．０７  ＜  （ｒ1＋ｒ2）／（ｒ1−ｒ2）  ＜  ０．８ ： 0.33 
【００９６】
さて、以上のような本発明の広角光学系を用いた撮像装置は、デジタルカメラやパソコン、携帯電話等に好適に組み込むことができる。以下に、その実施形態を例示する。
【００９７】
まず、本発明の広角光学系を用いた撮像装置を組み込んだデジタルカメラの一例を示す。図８は、本発明の広角光学系を用いた撮像装置を組み込んだデジタルカメラの外観を示す前方斜視図であり、図９は、同後方斜視図である。
【００９８】
図８及び図９に示すように、デジタルカメラ１は、前面に、撮影用開口部１０１，ファインダー用開口部１０２，フラッシュ発光部１０３が設けられている。また、上部に、シャッターボタン１０４が設けられている。また、背面に、液晶表示モニター１０５、情報入力部１０６、ファインダー接眼部１０７が設けられている。また、内部には、本発明の広角光学系を用いた撮像装置や処理手段、記録手段を備えている。
【００９９】
このように構成されたデジタルカメラ１は、その上部に設けられているシャッターボタン１０４を押圧すると、それに連動して撮像装置を介して画像情報の取得がなされるようになっている。取得された画像情報は、デジタルカメラ１の内部に設けられている記録手段に記録される。また、記録された画像情報は、処理手段によって取り出され、電子画像としてカメラ背面に設けられた液晶表示モニター１０５に表示することもできる。
【０１００】
次に、本発明の広角光学系を用いた撮像装置を組み込んだ情報処理装置であるパソコンの一例を示す。図１０は、本発明の広角光学系を用いた撮像装置を組み込んだパソコンのカバーを開いた状態における前方斜視図であり、図１１は、同側面図である。
【０１０１】
図１０及び図１１に示すように、パソコン２は、外部から操作者が情報を入力するためのキーボード２０１、操作者が画像を観察するための液晶表示モニター２０２を備えている。そして、液晶表示モニター２０２の側方には、撮影用開口部２０３が形成されている。また、内部には、操作者自身やその周辺の像を撮影するための本発明の広角光学系を用いた撮像装置や処理手段、記録手段を備えている。
【０１０２】
なお、撮像装置により取得された画像情報は、記録手段に記録される。また、記録された画像情報は、処理手段によって取り出され、電子画像として液晶表示モニター２０２に表示される。そして、その画像は、処理手段により、インターネットや電話回線を介して、通信相手のパソコンに表示させることも可能である。
【０１０３】
また、本例においては、撮像装置は、液晶表示モニター２０２の側方に配置されているが、その場所に限らず、液晶表示モニター２０２の上方や下方等の側方以外の位置や、キーボード２０１の周囲等どこに配置してもかまわない。
【０１０４】
また、本例においては、液晶表示モニター２０２は、不図示のバックライトにより背面から照明する透過型液晶表示素子を用いるが、ＣＲＴディスプレイ等を用いても構わない。
【０１０５】
次に、本発明の広角光学系を用いた撮像装置を組み込んだ情報処理装置である携帯電話の一例を示す。図１２（ａ）は、本発明の広角光学系を用いた撮像装置を組み込んだ携帯電話の正面図であり、図１２（ｂ）は、同側面図である。
【０１０６】
図１２（ａ）及び図１２（ｂ）に示すように、携帯電話３は、操作者の声を情報として入力するマイク部３０１，通話相手の声を出力するスピーカ部３０２，操作者が情報を入力する入力キー３０３，操作者自身や通話相手等の撮影像や電話番号等の情報を表示する液晶表示モニター３０４，通信電波の送信と受信を行うアンテナ３０５を備えている。そして、スピーカ部３０２の側方には、撮影用開口部３０６が形成されている。また、内部には、操作者自身やその周辺の像を撮影するための本発明の広角光学系を用いた撮像装置や処理手段、記録手段を備えている。なお、液晶表示モニター３０４は液晶表示素子を用いたものである。また、図中、各構成の配置位置は、このような配置位置に限られるものではなく、適宜な配置でかまわない。
【０１０７】
なお、撮像装置により取得された画像情報は、記録手段に記録される。また、記録された画像情報は、処理手段によって取り出され、電子画像として液晶表示モニター３０４に表示される。さらに、処理手段は、通信相手に画像を送信する場合、その画像情報を送信可能な信号へと変換する信号処理機能を備えている。
【図面の簡単な説明】
【０１０８】
【図１】本発明に係る撮像装置の模式図であり、条件式（３）及び（４）に係るパラメータを示す図である。
【図２】実施例１に係る広角光学系を備えた撮像装置の構成を示す光軸に沿う断面図である。
【図３】図２に示した広角光学系の球面収差，非点収差，歪曲収差，倍率色収差を示す図である。
【図４】実施例２に係る広角光学系を備えた撮像装置の構成を示す光軸に沿う断面図である。
【図５】図４に示した広角光学系の球面収差，非点収差，歪曲収差，倍率色収差を示す図である。
【図６】実施例３に係る広角光学系を備えた撮像装置の構成を示す光軸に沿う断面図である。
【図７】図６に示した広角光学系の球面収差，非点収差，歪曲収差，倍率色収差を示す図である。
【図８】本発明の広角光学系を用いた撮像装置を組み込んだデジタルカメラの一例の外観を示す前方斜視図である。
【図９】図８に示したデジタルカメラの後方斜視図である。
【図１０】本発明の広角光学系を用いた撮像装置を組み込んだパソコンの一例のカバーを開いた状態における前方斜視図である。
【図１１】図１０に示したパソコンの側面図である。
【図１２】本発明のズームレンズを用いた撮像装置を組み込んだ携帯電話の一例を示す図であり、（ａ）は携帯電話の正面図、（ｂ）は携帯電話の側面図である。
【符号の説明】
【０１０９】
Ｓ              開口絞り
Ｌ1、Ｌ2、Ｌ3   レンズ
ＣＧ            カバーガラス
ＩＭ            撮像面
Ｌｃ            光軸
Ｌｍ            開口絞りの中心を光軸に対して３６度の角度で通過する光線
ＰC7            第３レンズの像側の面が光軸と交わる点
Ｐm7            光線Ｌｍが第３レンズの像側の面を通過する点
ＰP7            第３レンズの像側の面の最も像側の点
ｈm7            点Ｐm7から光軸までの最短距離
ｈP7            点ＰP7から光軸までの最短距離
ｄP7            点ＰP7から最短距離にある光軸上の点と点ＰC7との間の距離
１              デジタルカメラ
１０１，２０３，３０６          撮影用開口部
１０２          ファインダー用開口部
１０３          フラッシュ発光部
１０４          シャッターボタン
１０５，２０２，３０４          液晶表示モニター
１０６          情報入力部
１０７          ファインダー接眼部
２              パソコン
２０１          キーボード
３              携帯電話
３０１          マイク部
３０２          スピーカ部
３０３          入力キー
３０５          アンテナ
【図１】
2010113307.tif 000003
【図２】
2010113307.tif 000004
【図３】
2010113307.tif 000005
【図４】
2010113307.tif 000006
【図５】
2010113307.tif 000007
【図６】
2010113307.tif 000008
【図７】
2010113307.tif 000009
【図８】
2010113307.tif 000010
【図９】
2010113307.tif 000011
【図１０】
2010113307.tif 000012
【図１１】
2010113307.tif 000013
【図１２】
2010113307.tif 000014